(57)【要約】【課題】従来の物質搬送装置としては、底板、移動枠体及び該移動枠体に所定間隔を置いて移動方向とほぼ直角に設けられた搬送板とから成り、該移動枠体は該底板の上下を周回し、且つ該底板は固定式のものがあった。しかし、これでは搬送板が反転したときに一気に落下するため、連続的に少量ずつ落下させることができなくなる。また、土壌にある程度粘性があると、搬送板が反転したときに次の搬送板までのすべての土壌が引きつられてすべて落下することになり、相当の量が同時に落下してしまう。【解決手段】ホッパー、底板、移動枠体及び該移動枠体に所定間隔を置いて移動方向とほぼ直角に設けられた搬送板とから成り、該移動枠体は該底板の上下を周回し、且つ該底板は固定式のものにおいて、該移動枠体の回転軸の内側で底板から被搬送物が落下できるよう、該底板を成型したもの。【選択図】  図１
2007153491.tif 000002
【特許請求の範囲】
【請求項１】
ホッパー、底板、移動枠体及び該移動枠体に所定間隔を置いて移動方向とほぼ直角に設けられた搬送板とから成り、該移動枠体は該底板の上下を周回し、且つ該底板は固定式のものにおいて、該移動枠体の回転軸の内側で底板から被搬送物が落下できるよう、該底板を成型したことを特徴とする物質搬送装置。
【発明の詳細な説明】
【技術分野】
【０００１】
本発明は、物質搬送装置に関するものである。
【背景技術】
【０００２】
ここでいう物質とは、一般には砂のような粉粒物、土壌、粘土のような粘性物質、小石や岩の破砕物のようなもの等であり特に限定するものではない。
従来の装置について土壌を例にとって説明する。
従来の土壌の搬送装置で最もよく使用されているものはベルトコンベアである。ベルトの一端に被搬送物を載置すれば他端に搬送できる。
【０００３】
しかし、このようなベルトコンベアでは、少し粘性があり、上部のホッパーの落下に抵抗があると、ベルトと被搬送物間で滑りが生じ、所定の量を搬送することができない。
【０００４】
このような滑りを防止するため、本出願人は搬送装置を開発し特許文献１として出願もしている。
この特許文献１の装置は、底板、移動枠体及び該移動枠体に所定間隔を置いて移動方向とほぼ直角に設けられた搬送板とから成り、該移動枠体は該底板の上下を周回し、且つ該底板は固定式のものである。搬送板によって、被搬送物を押すため、確実に搬送できる。また、サイドに移動枠体があるため、横に被搬送物が落下することも少ない。よって、ほとんど問題はなくなった。
【特許文献１】特開平１０−０６７４１５号
【発明の開示】
【発明が解決しようとする課題】
【０００５】
この従来例では、搬送板が移動し、底板の周囲を上下に回転する。よって、当然であるが、被搬送物は底板の先端部から落下する。これについて図面（長さ等は比例していない）に基づいて説明する。図３は、この従来例の搬送の原理を示す概略側面図である。ここでは底板５１、チェーン５２、搬送板５３のみを示している。
この搬送板５３間に被搬送物５４（土壌等）が上方から落下し、それを搬送板５３で押すのである。
【０００６】
図４は、図３の先端部を示したもので、底板５１よりも被搬送物５４は出ているにもかかわらず、搬送板５３に受け止められて落下しないことが分かる。これが、搬送板５３が反転したときに一気に落下するため、連続的に少量ずつ落下させることができなくなる。また、土壌にある程度粘性があると、搬送板５３が反転したときに次の搬送板５３までのすべての土壌が引きつられてすべて落下することになり、相当の量が同時に落下してしまう。
【０００７】
この搬送機の下方で、他の物質と混合するような場合には、このように不連続で量もばらばらに落下すると、一定に混合することが不可能になるか、相当難しくなる。
【課題を解決するための手段】
【０００８】
以上のような状況に鑑み、本発明者は鋭意研究の結果本発明物質搬送装置を完成させたものであり、その特徴とするところは、ホッパー、底板、移動枠体及び該移動枠体に所定間隔を置いて移動方向とほぼ直角に設けられた搬送板とから成り、該移動枠体は該底板の上下を周回し、且つ該底板は固定式のものにおいて、該移動枠体の回転軸の内側で底板から被搬送物が落下できるよう、該底板を成型した点にある。
【０００９】
ここでホッパーとは、被搬送物を一旦貯蔵する部分であり、後述する搬送板により被搬送物がほぼ一定量送出されるが、その時に本装置にその一定量以上に導入した時にクッションタンクとして量の変動を吸収するためのものである。これは、上部が単なる開口であり、下方は搬送板で押圧搬送されるエリアに被搬送物を落下させるよう開口したものである。
【００１０】
底板とは、被搬送物（粘稠物等）がその上を滑って移動するもので、従来のベルトコンベアではベルト自体が移動して被搬送物を移送するが、本発明では被搬送物が載っている基盤が動かないという、従来とは決定的な違いがある。この底板は、金属やプラスチック等でよく特別なものである必要はない。この底板は、ほぼ直線部分のみでも、移動枠体が下降する部分まで存在してもよい。また、進行方向に平行な側面には壁面を設けてもよい。この底板と駆動するチェーンとはレベル的にどちらが高くてもよい。
【００１１】
移動枠体とは、底板の上下方向の周囲を回転移動するものでチェーンコンベアに固定されており、チェーンコンベアの周囲部のようなものである。これは、梯子状のものであっても、それが上下に二重になったようなものでも、また左右方向には壁面（底板に設けられている場合には不要）があってもよい。基本的には被搬送物が上方から底板に落下することを妨げず、回転移動できればよいのである。チェーン自体を高さのある構造にすれば、チェーンがこれを兼ねてもよい。
【００１２】
搬送板とは、その移動によって被搬送物を移送するもので、移動枠体又はチェーンコンベアに固定されて移動枠体の移動に従って被搬送物をその移動方向に押圧移送するものである。これは、単なる板であり特別な形状である必要はない。これは、移動枠体の進行方向とほぼ直角に所定間隔を置いて固定されている。
【００１３】
上記の装置において、移動枠体の回転軸の内側で底板から被搬送物が落下できるよう該底板を成型している。これは、底板が先端部分全幅で届いていることがなく、その途中に落下部分があるということである。即ち、搬送板を駆動しているチェーンのスプロケット（回転軸）よりも内側で被搬送物が落下できるように底板を成型しているということである。
【００１４】
ここでいう成型とは、落下位置で底板を裁断し、それ以上は存在しないように成型しても、途中に貫通孔を設ける等、その方法は自由である。
【００１５】
さらに底板の裁断や貫通孔の形状は、直線状、円状、階段状、その他種々の形状に成型してもよい。
【００１６】
また、搬送板がホッパー下方へ入る部分と出る部分に、搬送板の固定間隔以上の長さを有するトンネルを設けてもよい。これは、被搬送物が比較的流度の大きいもののも場合、ホッパーから搬送板が出る部分と入る部分から被搬送物が出て、次の搬送物までの間でオーバーフローすることを防止するためである。
【００１７】
本発明の他の構成として、ホッパーから下方へ被搬送物が落下しがたい場合には、ホッパーの側壁を振動させるようにしてもよい。例えば、モーターによって振動させる等である。また、ホッパー内部に傾斜した邪魔板を設けて、上部からホッパーに被搬送物を投入する時のショックを和らげてもよい。
【００１８】
また、底板と搬送板との間で石等が噛み込まないように搬送板底部にゴム板を設けたり、電車の前方部のような小石よけを設けてもよい。
【００１９】
更に、被搬送物の落下部分にも壁面を設けて周囲に飛び散ることなく所定位置に落下させるようにしてもよい。
【発明の効果】
【００２０】
以上詳細に説明した本発明では、次のような大きな効果がある。
（１）  スプロケット手前で底板に落下部分を設けているため、搬送板が落下物を受けてしまうことがない。そのため、落下物が一気に多量に落ちることがほとんどない。
（２）  粘性が少ない土壌や砂の場合には、ほぼ連続的に、一定に落下させることができる。
（３）  製造が非常に簡単で従来の装置の底板を変えるだけである。
（４）  搬送板が落下の邪魔をしないため、搬送板のサイズや形状を自由に設計することができる。
【発明を実施するための最良の形態】
【００２１】
以下実施例に基づいて、本発明をより詳細に説明する。
【実施例１】
【００２２】
以下図面に示す実施の形態により本発明をより詳細に説明する。
図１は、本発明物質搬送装置１の１例を示す部分斜視図である。被搬送物（土壌等）がその上を移動する底板２、被搬送物を押して移動させる搬送板３、この搬送板３に固定され、回転軸４によって回転するチェーン５が見えている。このチェーン５の一部が移動枠体となっている。底板２は固定されており移動はしない。
【００２３】
ここで、底板２は、その先端部６が回転軸４の内側にある。よって、その先端部６から先は底板２は存在しない。これが本発明のポイントである。
図１の例では、移動枠体の高さと搬送板３の高さに差があったが、コンベアの構造が許せば同じ高さにしてもよい。搬送量が少ない場合や、移動枠体の側壁を大きくしても、簡単に周回できるものであれば、それで充分である。更に、移動枠体には側壁のような部分はまったくなくチェーンとローラーのようなものだけで構成してもよい。
【００２４】
図２は、図１の縦断面図である。チェーン５は向こう側のものが見えている。
ホッパー７の後部（下流側）の出口にトンネル８を設けている。勿論、このようなトンネルはなくてもよい。
土壌９が、搬送板３によって右から左方向に押され、回転軸４の手前の底板２が途切れた部分から下方に落下している。この方法では、搬送板３が落下の妨げになることはない。
【図面の簡単な説明】
【００２５】
【図１】本発明装置の１例の１部を示す概略斜視図である。
【図２】図１の縦断面図である。
【図３】従来の装置の概略縦断面図である。
【図４】従来の装置の部分拡大断面図である。
【符号の説明】
【００２６】
１  本発明搬送装置
２  底板
３  搬送板
４  回転軸
５  チェーン
６  先端部
７  ホッパー
８  トンネル
【図１】
2007153491.tif 000003
【図２】
2007153491.tif 000004
【図３】
2007153491.tif 000005
【図４】
2007153491.tif 000006